(57)【要約】【課題】壁パネルの設置位置の変更を容易にするとともに、壁パネルの垂れ下がりを抑制することを可能とした壁パネル取付け構造を提供する。【解決手段】一定の間隔を有して平行配設されている天井下地桟（２）の間に縣架される長手方向に延設された垂直片（１１）とこの垂直片（１１）の左右両端部それぞれに設けられた端片（１２）とを有するつなぎ部材（１）が、前記左右両端部の端片（１２）において天井下地桟（２）に固定され、前記垂直片（１１）が壁パネル（３）上端に配設された枕木（４）に固定されている構造とする。【選択図】      図１
2004346686.tif 000002
【特許請求の範囲】
【請求項１】
一定の間隔を有して平行配設されている天井下地桟の間に縣架される長手方向に延設された垂直片とこの垂直片の左右両端部それぞれに設けられた端片とを有するつなぎ部材が、前記左右両端部の端片において天井下地桟に固定され、前記垂直片が壁パネル上端に配設された枕木に固定されていることを特徴とする天井への壁パネル取付け構造。
【請求項２】
つなぎ部材の左右両端部の端片には、天井下地桟の上面に載置される上載置片が設けられていることを特徴とする請求項１記載の天井への壁パネル取付け構造。
【請求項３】
つなぎ部材の垂直片の下辺部には、水平片が設けられていることを特徴とする請求項１または２記載の天井への壁パネル取付け構造。
【請求項４】
垂直片には、複数の固定具取付け孔が設けられていることを特徴とする請求項１から３いずれかに記載の天井への壁パネル取付け構造。
【発明の詳細な説明】
【０００１】
【発明の属する技術分野】
この出願の発明は、天井への壁パネル取付け構造に関するものである。さらに詳しくは、この出願の発明は、壁パネルの天井への設置位置の変更を容易にするとともに、壁パネルの垂れ下がりを抑制することのできる、新しい壁パネル取付け構造に関するものである。
【０００２】
【従来の技術】
従来、天井に壁パネルを取付ける場合には、たとえば、図５に例示したように、壁パネル（ア）の上端面に配設された枕木（イ）を天井下地桟（ウ）で両側から挟着するようにしている。
【０００３】
また、この構造による取付け構造に類似するものとして、図６に例示したように、水平片（エ）と嵌め込み部（オ）とを有するつなぎ部材（カ）を天井下地桟（ウ）への嵌め込み部（オ）の嵌合によって懸架させ、水平片（エ）に壁パネル（ア）上端を当接させて、ビス（キ）止めする壁パネル取付け構造が提案されている。
【０００４】
【特許文献１】
特開２００１−９０２４５号公報
【０００５】
【発明が解決しようとする課題】
しかしながら、図５に例示したような従来の壁パネル取付け構造の場合には、天井下地桟（ウ）を配設する際に壁パネル（ア）の設置位置を確認して配設する必要があり、壁パネル（ア）施工時に設置位置の変更が生じた場合の天井下地桟（ウ）の変更が困難となり、その結果壁パネル（ア）の設置位置の変更が困難となるという問題があった。
【０００６】
つなぎ部材（カ）の水平片（エ）を長くして水平片（エ）に沿って壁パネル（ア）の設置位置の変更を可能にすることを考えられるが、この場合には、壁パネル（ア）との境界にずれが生じて、クロスコーキング等が破損するという問題があった。
【０００７】
そこでこの出願の発明は、以上のとおりの事情に鑑みてなされたものであって、従来の問題点を解消し、壁パネルの天井への設置位置の変更を容易にするとともに、壁パネルの垂れ下がりを抑制することを可能とした、新しい壁パネル取付け構造を提供することを課題としている。
【０００８】
【課題を解決するための手段】
この出願の発明は、上記の課題を解決する手段として、第１には、一定の間隔を有して平行配設されている天井下地桟の間に縣架される長手方向に延設された垂直片とこの垂直片の左右両端部それぞれに設けられた端片とを有するつなぎ部材が、前記左右両端部の端片において天井下地桟に固定され、前記垂直片が壁パネル上端に配設された枕木に固定されていることを特徴とする天井への壁パネル取付け構造を提供する。
【０００９】
またこの出願の発明は、第２には、つなぎ部材の左右両端部の端片には、天井下地桟の上面に載置される上載置片が設けられていることを特徴とする天井への壁パネル取付け構造を、第３には、つなぎ部材の垂直片の下辺部には、水平片が設けられていることを特徴とする天井への壁パネル取付け構造を、そして第４には、垂直片には、複数の固定具取付け孔が設けられていることを特徴とする天井への壁パネル取付け構造を提供する。
【００１０】
【発明の実施の形態】
この出願の発明は上記のとおりの特徴をもつものであるが、以下、その実施の形態について、添付した図面に沿って詳しく説明する。
【００１１】
図１は、この出願の発明の壁パネル取付け構造の一実施形態を、壁パネルと天井下地桟とが平行の場合について例示した要部斜視図である。また図２は、別の実施形態として壁パネルと天井下地桟が直交している場合を例示した要部斜視図である。
【００１２】
図１および図２に例示したとおり、この出願の発明の壁パネル取付け構造では、一定の間隔を有して、ほぼ平行に複数配設されている天井下地桟（２）の間につなぎ部材（１）が縣架される。このつなぎ部材（１）は、長手方向に延設された垂直片（１１）とこの垂直片（１１）の左右両端部それぞれに設けられた端片（１２）とを有している。左右両端部に設けられた端片（１２）は、天井下地桟（２）に対し、たとえば複数の取付け孔（１５）を介して固定具（図示せず）によって固定される。さらに、前記の垂直片（１１）は、壁パネル（３）の上端に配設された枕木（４）に、たとえば固定具（図示せず）によって固定される。
【００１３】
このような構造によって、この出願の発明では、容易、かつ、安定に壁パネルを天井へ固定することができる。
【００１４】
図３および図４は、この出願の壁パネル取付け構造に用いられるつなぎ部材（１）を例示した斜視図である。図３の例は、垂直片（１１）、端片（１２）とともに上載置片（１３）を備えたつなぎ部材（１）を、そして図４の例は、さらに水平片（１４）を備えている。
【００１５】
図３に例示したつなぎ部材（１）では、左右両端部の端片（１２）に延設した上載置片（１３）を天井下地桟（２）の上面に載置することができることから、つなぎ部材（１）の設置取付けの際に、天井下地桟（２）の上面につなぎ部材（１）を仮置きした状態で取付け施行できるため、施工がスムースになり施工性の向上が実現することができる。
【００１６】
また、図４に例示したつなぎ部材（１）では、水平片（１４）を設けることによって、つなぎ部材（１）の剛性が向上し、壁パネル（３）を設置している床が撓んだ場合のそれに追随しての壁パネル（３）の沈み込みや、その結果としての壁パネル（３）の垂れ下がりをより効果的に抑制することが可能になる。また、壁パネル（３）をより安定に取付けるために、この水平片（１４）に少なくとも１個以上の取付け孔（１５）を設けて、固定具によって壁パネル（３）に取付け固定してもよい。
【００１７】
そして、この出願の発明の壁パネル取付け構造では、前記のとおり、壁パネル（３）上端の枕木（４）を固定する垂直片（１１）には、固定具による固定のための取付け孔（１５）を設けることが考慮されるが、この取付け孔（１５）を複数にすることによって、壁パネル（３）の設置位置の変更の際、天井下地桟（２）の設置位置の変更等という煩雑な工程を必要とすることなく、容易に壁パネル（３）の設置位置の変更をすることができる。
【００１８】
壁パネル（３）はについては、図１および図２に例示したように、補強部材（５）によって補強したり、任意に配線孔（６）を設けて電気等の配線（７）をすることもできる。また、この出願の発明の壁パネル取付け構造は、壁パネルに限られずに、照明器具等を天井に取付けることにも応用することができる。
【００１９】
固定具（図示せず）については、ビスやねじ等各種のものを使用することができる。また、ずれ等が生じにくくするため、つなぎ部材（１）には、ゴム材やシリコン材等の摩擦係数が大きい材質のものを貼付してもよい。さらに、つなぎ部材（１）をステンレススチール等の金属類等の各種の素材とすることや各種の塗装・加工処理を施すこと、その大きさや形状等、その細部の形態において様々に可能であることは言うまでもない。
【００２０】
【発明の効果】
以上詳しく説明したとおり、この出願の発明によって、壁パネルの天井への設置位置の変更を容易にするとともに、壁パネルの垂れ下がりを抑制することを可能とした、新しい壁パネル取付け構造が提供される。
【図面の簡単な説明】
【図１】この出願の発明の実施形態として壁パネルと天井下地桟とが平行の場合を例示した要部斜視図である。
【図２】この出願の発明の別の実施形態として壁パネルと天井下地桟とが直交の場合を例示した要部斜視図である。
【図３】この出願の発明の壁パネル取付け構造に用いられる、つなぎ部材の構成形態を例示した斜視図である。
【図４】この出願の発明の壁パネル取付け構造に用いられる、つなぎ部材の別の構成形態を例示した斜視図である。
【図５】従来の壁パネルの取付け構造を例示した斜視図である。
【図６】別に従来提案されている壁パネルの取付け構造を例示した正断面図である。
【符号の説明】
１    つなぎ部材
１１  垂直片
１２  端片
１３  上載置片
１４  水平片
１５  取付け孔
２    天井下地桟
３    壁パネル
４    枕木
５    補強部材
６    配線孔
７    配線
ア  壁パネル
イ  枕木
ウ  天井下地桟
エ  水平片
オ  嵌め込み部
カ  つなぎ部材
キ  ビス
【図１】
2004346686.tif 000003
【図２】
2004346686.tif 000004
【図３】
2004346686.tif 000005
【図４】
2004346686.tif 000006
【図５】
2004346686.tif 000007
【図６】
2004346686.tif 000008